(57)【要約】【課題】簡易な構成により、衣類のボタンへの着脱が容易で、取着後は外れ難く、しかも衣類の洗濯時にボタンが傷ついたり、破損したりするのを確実に防止することができるボタンガードを提供する。【解決手段】ボタンガード１０は、洗濯時に衣類のボタンに被せて使用するものであって、弾力性を有する素材、例えばシリコーンを用いて形成される。ボタンガード１０は上面１１と底面１２と側面１３とを有し、その全体形状は高さの低い略円筒状である。底面１３の中央部には、衣類のボタンに着脱自在に取着するための開口部１２ａが形成されている。この開口部１２ａの形状は略楕円形状である。【選択図】図１
2014100463.tif 000002
【特許請求の範囲】
【請求項１】
洗濯時に衣類のボタンに被せて使用するボタンガードであって、
弾力性を有する素材を用いて形成され、上面と底面と側面とを有し、全体形状が高さの低い略円筒状に形成され、前記衣類の前記ボタンに着脱自在に取着するための開口部が前記底面の中央部に形成されていることを特徴とするボタンガード。
【請求項２】
前記開口部は略楕円形状に形成されていることを特徴とする請求項１記載のボタンガード。
【請求項３】
前記上面及び前記側面の少なくとも一方の面に水抜き用開口部が形成されていることを特徴とする請求項１又は２記載のボタンガード。
【請求項４】
前記側面には指で摘むための突起部が少なくとも一つ形成されていることを特徴とする請求項１、２又は３記載のボタンガード。
【発明の詳細な説明】
【技術分野】
【０００１】
本発明は、衣類を洗濯するときに、衣類のボタンに被せて使用するボタンガードに関するものである。
【背景技術】
【０００２】
従来より、衣類のクリーニングを行うと、クリーニング時の熱や機器との接触により、衣類のボタンが傷ついたり、破損したりすることがある。ボタンが破損した場合、破損したボタンを付け替えることになる。しかしながら、その破損したボタンが、ブランドのロゴが入ったボタンや、凝ったデザインのボタンであると、同じものを探すことが困難である場合が多い。したがって、一つのボタンが破損しただけでも、高価な衣類や大切な衣類が着用されなくなることがあった。このため、クリーニング店によっては、洗濯時のボタンの破損を防ぐために、アルミニウム箔をボタンに巻いて、クリーニングしてくれるところもある。また、例えば、特開平１０−２３４４２７号には、アルミ箔の片面に耐熱性の可撓性緩衝材シートを接着したクリーニング時のボタン保護カバー材が提案されている。
【先行技術文献】
【特許文献】
【０００３】
【特許文献１】特開平１０−２３４４２７号公報
【発明の概要】
【発明が解決しようとする課題】
【０００４】
しかしながら、クリーニングするときには、小さいボタンの一つ一つにアルミニウム箔を被せたり、またクリーニング終了時に被せたアルミニウム箔を取り外したりする作業は煩雑であり、手間がかかるという問題があった。特に、ワイシャツやブラウスのように小さいボタンが付いているときには、その小さいボタンの一つ一つにアルミニウム箔を被せる必要があるので、作業がより煩雑なものとなる。また、ワイシャツやブラウスのような頻繁にクリーニングに出される衣類は、繰り返しの洗濯やアンロンがけによりボタンが破損してしまうことが多い。更に、アルミニウム箔を被せてボタンを保護する従来の方法では、洗濯時にアルミニウム箔が外れてしまうこともあった。
【０００５】
本発明は上記事情に基づいてなされたものであり、簡易な構成により、衣類のボタンへの着脱が容易で、取着後は外れ難く、しかも衣類の洗濯時にボタンが傷ついたり、破損したりするのを確実に防止することができるボタンガードを提供することを目的とするものである。
【課題を解決するための手段】
【０００６】
上記の目的を達成するための本発明は、洗濯時に衣類のボタンに被せて使用するボタンガードであって、弾力性を有する素材を用いて形成され、上面と底面と側面とを有し、全体形状が高さの低い略円筒状に形成され、衣類のボタンに着脱自在に取着するための開口部が底面の中央部に形成されていることを特徴とするものである。
【０００７】
上記の構成により、本発明のボタンガードは、その構成が簡易であり、また弾力性を有するので、衣類のボタンへの着脱が容易であり、また取着した後は容易に外れることがない。しかも衣類の洗濯時に洗濯槽の内側とボタンとが直接接触することがないので、ボタンが傷ついたり、破損したりするのを確実に防止することができる。
【０００８】
また、本発明に係るボタンガードにおいて、開口部は略楕円形状に形成されていることが望ましい。このように開口部が略楕円形状に形成されているので、ボタンガードをボタンに容易に着脱することができる。具体的に、ボタンガードをボタンに取着する場合には、ボタンの側面を開口部の長径方向に合わせてボタンの一部を開口部に差し込んだ後、ボタンの残りの部分を開口部内に押し込めばよい。このとき、開口部の短径方向に沿ったボタンガードの部分によりボタンガードはボタンに係止されるので、ボタンガードがボタンから容易に外れてしまうことはない。また、ボタンガードをボタンから取り外す場合には、開口部の短径方向に沿ったボタンガードの部分に力を加えて当該部分とボタンとの係止状態を解除すれば、ボタンカードをボタンから容易に取り外すことができる。
【０００９】
また、本発明に係るボタンガードにおいて、その上面及び側面の少なくとも一方の面に水抜き用開口部が形成されていることが望ましい。これにより、ボタンガードをボタンに被せて洗濯したときに、ボタンの形状によっては、ボタンガード内に入った水が底面に形成した開口部から抜け難い場合でも、上面又は側面に形成した水抜き用開口部からボタンガード内に入った水を容易に抜くことができる。更に、本発明に係るボタンガードにおいて、側面には指で摘むための突起部が少なくとも一つ形成されていることが望ましい。これにより、突起部を指で摘んでボタンに取着したり、ボタンから外したりすることができるので、ボタンへのボタンガードの着脱を容易に行うことができる。
【発明の効果】
【００１０】
本発明に係るボタンガードによれば、構成が簡易であり、また弾力性を有するので、衣類のボタンへの着脱が容易で取着後は外れ難く、しかも衣類の洗濯時にボタンが傷ついたり、破損したりするのを確実に防止することができる。
【図面の簡単な説明】
【００１１】
【図１】図１（ａ）は本発明の一実施形態であるボタンガードを正面側から見たときの概略斜視図であり、同図（ｂ）はそのボタンガードを裏面側から見たときの概略斜視図である。
【図２】図２（ａ）は本発明の一実施形態であるボタンガードの概略底面図であり、同図（ｂ）はそのボタンガードのＡ−Ａ’矢視概略断面図である。
【図３】図３は（ａ）は本発明の一実施形態であるボタンガードをボタンに被せて正面側から見たときの状態を示す概略模式図であり、同図（ｂ）はそのボタンガードをボタンに被せて裏面側から見たときの状態を示す概略模式図である。
【図４】図４は（ａ）は本発明の一実施形態であるボタンガードをボタンに被せて正面側から見たときの状態を示す概略斜視図であり、同図（ｂ）はそのボタンガードをボタンに被せて裏面側から見たときの状態を示す概略斜視図である。
【図５】図５（ａ）は本発明のボタンガードの第一変形例を正面側から見たときの概略斜視図であり、同図（ｂ）はそのボタンガードの第一変形例を裏面側から見たときの概略斜視図である。
【図６】図６は本発明のボタンガードに形成される開口部の他の例を説明するための図である。
【図７】図７（ａ）は本発明のボタンガードの第二変形例を正面側から見たときの概略斜視図、（ｂ）はそのボタンガードの第二変形例を裏面側から見たときの概略斜視図である。
【発明を実施するための形態】
【００１２】
以下に、図面を参照して、本願に係る発明を実施するための最良の形態について説明する。図１（ａ）は本発明の一実施形態であるボタンガードを正面側から見たときの概略斜視図であり、同図（ｂ）はそのボタンガードを裏面側から見たときの概略斜視図であり、図２（ａ）は本発明の一実施形態であるボタンガードの概略底面図であり、同図（ｂ）はそのボタンガードのＡ−Ａ’矢視概略断面図である。
【００１３】
本発明の一実施形態であるボタンガードは、クリーニング時に衣類のボタンを破損等から保護するために、ボタンに被せて使用するボタンガードである。本実施形態のボタンガード１０は、図１及び図２に示すように、上面１１と底面１２と側面１３とを有し、全体形状が高さの低い略円筒状に形成され、その底面１２には衣類のボタン５０に着脱自在に取着するための開口部１２ａが形成されている。この開口部１２ａは、ボタンガード１０のボタン５０への着脱が容易で、ボタン５０に取着したときにはクリーニング処理でボタンガード１０が容易に外れることがないように、略楕円形状に形成されている。
【００１４】
本実施形態のボタンガード１０は、弾力性及び耐熱性を有する素材、例えばシリコーン（silicone）やフッ素ゴム等を用いて形成される。シリコーンは、耐熱限界温度が約２３０℃と高く、また、透明の他様々な色に着色が可能である。また、シリコーンは、耐薬品性、耐油性、耐溶剤性に優れており、アルコールなどの極性有機化合物や、希アルカリなどに、ほとんど侵されることがない。シリコーンは、灯油、トルエンなどの無極性有機化合物には、膨潤するが、一般の有機系ゴムとは異なり、材質の分解、溶解がなく、溶剤が除去されれば、元の状態に戻る。また、膨潤による容積の増加は１０％〜１５％程度の範囲内にとどまる。一般的に使用されているドライクリーニング溶剤は、上記の灯油と同類の石油系の溶剤であるが、本発明者がシリコーン片をドライクリーニング溶剤に浸して実験を行ったところ、変形などはなく、まったく問題なかった。したがって、本実施形態のボタンガード１０は、水洗いクリーニングを行う衣類だけでなく、ドライクリーニングを行う衣類についても、使用することができる。また、フッ素ゴムも耐熱限界温度が約２３０℃である。また、フッ素ゴムは、油、溶剤、酸、オゾンなどに対する耐性を備えている。
【００１５】
ボタンガード１０の素材としてシリコーンを使用する場合、シリコーンの硬度は３０°〜５０°であることが望ましい。シリコーンの硬度が３０°より小さいと、ボタンガード１０がべたつく様になってボタンガード１０にごみが付着し易くなるし、また、ボタンガード１０が柔らかすぎて洗濯中に取着したボタンから外れやすくなる。一方、シリコーンの硬度が５０°より大きいと、ボタンガード１０が硬くて裂けやすくなり、また硬くてボタンへのボタンガード１０の着脱が容易でなくなる。本実施形態では、ボタンガード１０の素材として、硬度が４０°のシリコーンを使用する場合について説明する。なお、本実施形態のシリコーンの硬度は、ＪＩＳ  Ｋ  ６２５３対応の中硬さ用タイプＡのデュロメータで測定した値である。また、本実施形態では、例えばボタンガード１０の素材として半透明のシリコーンを用いる場合について説明する。半透明のシリコーンを使用するのは、本実施形態のボタンガード１０をボタンに被せたときに、ボタンガード１０が被せられたボタンを外から見ることができるようにするためである。尚、図１では、図面を分かりやすくするために、ボタンガード１０の一方の面の側から他の面が見えないようにボタンガード１０を描いている。
【００１６】
図３は（ａ）は本発明の一実施形態であるボタンガードをボタンに被せて正面側から見たときの状態を示す概略模式図であり、同図（ｂ）はそのボタンガードをボタンに被せて裏面側から見たときの状態を示す概略模式図である。本実施形態のボタンガード１０をボタン５０に取着すると、図３に示すような状態となる。
【００１７】
本実施形態のボタンガード１０は、単純な形状に形成され、また素材としてシリコーンを使用しているので、容易に成型することができる。なお、シリコーンを素材として用いて本実施形態のボタンガード１０を成型する方法としては、例えば射出成型、直圧成型、注入式成型などの公知の方法を用いることができる。このため、ここでは、その詳細な説明は省略する。
【００１８】
本実施形態のボタンガード１０は以下のように使用する。以下では、例えば、クリーニング店等で、クリーニング処理を行う際に、ボタンガード１０を衣類のボタン５０に被せて使用する場合について説明する。このクリーニング処理は、洗濯槽を用いて衣類の汚れ等を落とすための洗濯工程、洗濯した衣類を乾燥するための乾燥工程、アイロンやプレス機を用いて洗濯・乾燥した衣類を仕上げる仕上げ工程等を有する。
【００１９】
まず、クリーニングを依頼された衣類、例えばワイシャツのボタンに本実施形態のボタンガード１０を被せる。具体的には、本実施形態のボタンガード１０の底面に形成された開口部１２ａにボタン５０を嵌めこむようにしてボタン５０に被せる。本実施形態のボタンガード１０は弾力性があるので、容易にボタン５０に取り付けることができる。本実施形態のボタンガード１０をボタン５０に被せたときには、正面側から見ると図４（ａ）に示すような状態となり、裏面側から見ると同図（ｂ）に示すような状態となる。
【００２０】
ところで、一般的な男性用のワイシャツの場合、例えば、前身頃についているボタン５０の直径は約１０ｍｍ又は約１１．５ｍｍ、ボタンダウンの衿先のボタンの直径は約９ｍｍ、また袖口についているボタンの直径は約１０ｍｍ又は約１１．５ｍｍであり、ボタンの厚みは約２ｍｍ〜４ｍｍである。したがって、この場合、本実施形態のボタンガード１０としては、その内径ｄが約１０ｍｍであり、上面１１の内側表面と下面１２の内側表面との間隔ｈが約２．５ｍｍであるものを一種類製造しておけば、一般的な男性用のワイシャツに使用されているすべてのボタンにボタンガード１０を被せることができる。ボタンガード１０の内サイズがボタンのサイズより若干小さくても、ボタンガード１０は弾力性を有する素材で形成されているので、そのボタンにボタンガード１０を被せることができるからである。また、例えば、ワイシャツのボタンに被せるためのボタンガード１０としては、その素材の厚さｔが約１ｍｍであり、楕円形状の開口部１２ａの長径Ｘが約８.５ｍｍ、その開口部１２ａの短形Ｙが約４.５ｍｍであるものを用いることができる（図２参照）。ここで、開口部１２ａは大きすぎると、ボタン５０がボタンガード１０から外れやすく、小さすぎると、ボタンガード１０の着脱に時間がかかる。
【００２１】
本実施形態のボタンガード１０の場合、開口部１２ａが略楕円形状に形成されているので、ボタンガード１０をボタン５０に容易に着脱することができる。具体的に、ボタンガード１０をボタン５０に取着する場合には、ボタン５０の側面を開口部１２ａの長径方向に合わせてボタン５０の一部を開口部１２ａに差し込んだ後、ボタン５０の残りの部分を開口部１２ａ内に押し込めばよい。このとき、開口部１２ａの短径方向に沿ったボタンガード１０の部分によりボタンガード１０はボタン５０に係止されるので、ボタンガード１０がボタン５０から容易に外れてしまうことはない。また、ボタンガード１０をボタン５０から取り外す場合には、開口部１２ａの短径方向に沿ったボタンガード１０の部分に力を加えて当該部分とボタン５０との係止状態を解除すれば、ボタンカード１０をボタン５０から容易に取り外すことができる。なお、本実施形態のボタンガード１０は弾力性を有する素材で形成しているので、若干サイズの異なるボタンであっても、本実施形態のボタンガード１０を使用することができる。
【００２２】
ワイシャツの全てのボタン５０に本実施形態のボタンガード１０を被せたら、そのワイシャツを洗濯槽に入れて洗濯する。このとき、本実施形態のボタンガード１０を被せたワイシャツが洗濯槽の内側と接触して擦れても、ボタン５０にはボタンガード１０が付いているので、洗濯工程において、ボタン５０が傷ついたり、破損したりするのを防止することができる。
【００２３】
洗濯工程が終わったワイシャツは、次に乾燥機に入れて乾燥させる。このときも、乾燥機の中で、ワイシャツが乾燥機の内面と接触しても、ボタン５０が直接乾燥機の内面と接触することはないので、乾燥工程においても、ボタン５０が傷ついたり、破損したりするのを防止することができる。なお、本実施形態のボタンガード１０の素材はシリコーンであり、弾力性を有しているので、従来のようにボタンを保護せずにワイシャツをクリーニングする場合やボタンにアルミニウム箔を被せてボタンを保護した状態でワイシャツをクリーニングする場合に比べて、洗濯槽や乾燥機の内側を痛めることもない。
【００２４】
乾燥工程が終了したワイシャツに対しては、次にアイロンやプレス機を用いて仕上げを行う。このアイロンやプレス機で仕上げするときの温度は、最も高い温度でも約２１０度である。この位の温度あれば、上述したシリコーン等の素材が変形したり、劣化したりすることはない。したがって、仕上げ工程でアイロンやプレス機を使用しても、ボタンガード１０によりアイロンやプレス機の熱や機械的な接触からボタンを護ることができる。
【００２５】
仕上げ工程を終えたワイシャツは、包装する前に、本実施形態のボタンガード１０をボタン５０から取り外す。取り外したボタンガード１０は、他のワイシャツのクリーニングに再利用することができる。
【００２６】
なお、クリーニング処理を行うときには、例えばドライクリーニング溶剤として、石油系の溶剤が使用されることがある。本実施形態のボタンガード１０の素材として使用されるシリコーンやフッ素ゴムをドライクリーニング溶剤に浸して実験したところ、溶剤により変形したり、劣化したりすることはなかった。したがって、本実施形態のボタンガード１０を用いれば、ドライクリーニング溶剤を使用するクリーニング処理でも、ボタンが傷ついたり、破損したりするのを確実に防止することができる。
【００２７】
本実施形態のボタンガードは、弾力性を有する素材を用いて形成され、上面と底面と側面とを有し、全体形状が高さの低い略円筒状に形成され、衣類のボタンに着脱自在に取着するための開口部が底面の中央部に形成されている。このように、本実施形態のボタンガードは、その構成が簡易であり、また弾力性を有するので、衣類のボタンへの着脱が容易であり、また取着した後は容易に外れることがない。しかも、ボタンガードによりボタンを保護することができるので、クリーニング処理の洗濯工程、乾燥工程、仕上げ工程等において、ボタンが傷ついたり、破損したりするのを確実に防止することができる。
【００２８】
また、本実施形態のボタンガードでは、開口部が略楕円形状に形成されている。この略楕円形状の開口部により、ボタンガードをボタンに容易に着脱することができ、且つ、一旦ボタンに取着すると、容易に外れないようにボタンガードをボタンに取着することができる。
【００２９】
尚、本発明は上記の実施形態に限定されるものではなく、その要旨の範囲内において種々の変形が可能である。
【００３０】
例えば、上記の実施形態のボタンガードにおいて、上面に水抜き用開口部を形成するようにしてもよい。図５（ａ）は本発明のボタンガードの第一変形例を正面側から見たときの概略斜視図であり、同図（ｂ）はそのボタンガードの第一変形例を裏面側から見たときの概略斜視図である。なお、図５では、図面を分かりやすくするために、ボタンガードの一方の面の側から他の面が見えないようにボタンガードを描いている。
【００３１】
第一変形例のボタンガード１０は、図５に示すように、上面１１と底面１２と側面１３とを有し、全体形状が高さの低い略円筒状に形成されている。底面１２には、衣類のボタンに着脱自在に取着するための開口部１２ａが形成されている。また、上面１１には、三つの水抜き用開口部１１ａが形成されている。これら三つの水抜き用開口部１１ａは上面の周端部に形成されており、各水抜き用開口部１１ａの形状は略瓢箪形状である。
【００３２】
図５に示す第一変形例が上記の実施形態と異なるのは、第一変形例では、上面１１に三つの水抜き用開口部１１ａが形成されている点である。その他の点は、上述した実施形態と同様であるので、上述した実施形態と同様の機能を有するものには、実施形態と同様の符号を付することにより、その詳細な説明を省略する。
【００３３】
衣類のボタンには、種々の形状のものがあり、ボタンガード１０をボタンに被せてクリーニング処理する際に、ボタンの形状によっては、乾燥工程でボタンガード１０に入り込んだ水や溶剤が抜け難いことがある。このような形状のボタンについては、第一変形例のボタンガード１０を使用することにより、洗濯工程でボタンガード１０内に入り込んだ水や溶剤を水抜き用開口部１１ａから容易に抜くことができる。
【００３４】
なお、図５では水抜き用開口部を略瓢箪型に形成した場合を示しているが、水抜き用開口部の形状は、四角形状や円形状等であってもよい。また、小さい孔を多数形成し、これらを水抜き用開口部としてもよい。更に、水抜き用開口部は、上面１１ではなく側面１３に形成するようにしてもよし、上面１１と側面１２の両方に形成するようにしてもよい。
【００３５】
また、上記の実施形態では、開口部の形状を略楕円形状にした場合について説明したが、開口部の形状は楕円以外の形状にすることも可能である。図６は本発明のボタンガードに形成される開口部の他の例を説明するための図である。開口部１２ｂは、図６（ａ）に示すように、略円形状に形成してもよく、或いは、開口部１２ｃは、図６（ｂ）に示すように、略四角形状に形成してもよい。また、本発明の開口部の形状としては、図１及び図６に示す形状の他に、例えば、ハート型形状、三角形状、菱形形状、星型形状等であってもよい。
【００３６】
図７（ａ）は本発明のボタンガードの第二変形例を正面側から見たときの概略斜視図、（ｂ）はそのボタンガードの第二変形例を裏面側から見たときの概略斜視図である。図７に示す第二変形例が上記の実施形態と異なるのは、第二変形例では、側面１３に二つのウサギの耳状の突起部１３ａが形成されている点である。その他の点は、上述した実施形態と同様であるので、上述した実施形態と同様の機能を有するものには、実施形態と同様の符号を付することにより、その詳細な説明を省略する。第二変形例の二つの突起部１３ａは、図７に示すように、開口部１２ａの長径Ｘに沿って長径と略並行となるように設けられている。また、この突起部１３ａは略円柱状に形成されており、その径は約３ｍｍ、厚さは約２ｍｍであり、上面１１から約１ｍｍ低く、底面１２から約１ｍｍ高い位置に形成されている。突起部１３ａをこのように形成することにより、第二変形例のボタンガードをボタンに取着してクリーニングのプレス機でプレス仕上げをする際に、突起部１３ａが邪魔になることはなく、またプレス仕上げの際に突起部１３ａの跡がワイシャツについてしまうのを避けることができる。
【００３７】
図７に示す第二変形例によれば、二つの突起部１３ａを側面１３に形成したことにより、親指と人差し指とで突起部１３ａを摘むようにして持つことができるので、第二変形例のボタンガードを容易に摘むことができる。ところで、上述したように、本発明のボタンガードをボタンに取着する際には、開口部１２ａの長径方向を確認して、ボタンの側面に開口部１２ａの長径方向を合わせてボタンの一部を開口部１２ａに差し込むようにして取着する。第二変形例のボタンガードでは、突起部１３ａが開口部の長径と略並行に配置されており、突起部１３ａにより開口部１２の長径方向を容易に認識することができので、突起部１３ａを親指と人差し指とで摘むようにして持つと、自然に開口部１２ａの長径方向がボタンに取着し易い方向に位置するようになる。したがって、第二変形例のボタンガードでは、ボタンに取着する際に、いちいち開口部の位置を確認してボタンガードを持つ必要がなくなり、容易に且つ迅速にボタンに取着することができる。尚、ここでは、指で摘むための突起部を側面に二つ形成した場合について説明したが、突起部は一つ又は三つ以上形成するようにしてもよい。
【００３８】
更に、上記の実施形態では、クリーニング店でボタンに本実施形態のボタンガードを被せる場合について説明したが、本発明はこれに限定されるものではなく、依頼者が衣類のクリーニングを依頼する前に、自分でボタンガードをボタンに被せるようにしてもよい。この場合には、クリーニング店側では、クリーニングした衣類を、ボタンガードを付けたまま返すことが望ましい。
【００３９】
また、上記の実施形態では、クリーニング店でボタンにボタンガードを被せて衣類のクリーニング処理を行う場合について説明したが、本発明のボタンガードは家庭で洗濯機を用いて衣類を洗濯する場合にも使用することができる。例えば、アイロンがけが不要な形状安定加工ワイシャツを洗濯する場合、洗濯する前に、そのワイシャツのボタンに本実施形態のボタンガードを被せ、洗濯終了後、或いは濡れ干しして乾燥した後に、ボタンガードを外すようにしてもよい。
【００４０】
また、上記の実施形態では、ボタンガードの素材として、弾力性と耐熱性を有する素材を使用する場合について説明したが、本発明はこれに限定されるものではなく、耐熱性はなくてもよい。例えば、家庭で洗濯するときには、上述したように濡れ干しし、熱を加えた乾燥を行わない場合もあるので、ボタンガードの素材が備えるべき特性として耐熱性は必須のものではない。
【００４１】
更に、上記の実施形態では、ボタンガードの素材として、シリコーンやフッ素ゴムを使用する場合について説明したが、本発明はこれに限定されるものではなく、一般には、ゴム状の弾力性を有する高分子化合物であるエラストマーを用いることができる。
【産業上の利用可能性】
【００４２】
以上説明したように、本発明のボタンガードによれば、構成が簡易であり、また弾力性を有するので、衣類のボタンへの着脱が容易で、しかも衣類の洗濯時にボタンが傷ついたり、破損したりするのを確実に防止することができる。したがって、本発明は、洗濯時に衣類のボタンに被せてボタンを破損等から護るボタンの保護カバーに適用することができる。
【符号の説明】
【００４３】
１０  ボタンガード
１１  上面
１１ａ  水抜き用開口部
１２  底面
１２ａ  開口部
１３  側面
１３ａ  突起部
５０  ボタン
【図１】
2014100463.tif 000003
【図２】
2014100463.tif 000004
【図３】
2014100463.tif 000005
【図４】
2014100463.tif 000006
【図５】
2014100463.tif 000007
【図６】
2014100463.tif 000008
【図７】
2014100463.tif 000009